(57)【要約】【課題】第１装置から入力された電話帳情報を、第２装置からの入力に基づいて補うことができ、且つ、第１装置からの入力に基づいて登録された電話帳情報が存在していることを第２装置へ通知できる通信システムおよび通信装置を提供すること。【解決手段】通信システム１によれば、子機６０において入力された電話帳情報は、ＭＦＰ３０へ通知され、ＭＦＰ３０において入力された情報に基づいて編集される。よって、子機６０から入力された電話帳情報を、ＭＦＰ３０からの入力に基づいて補うことができる。例えば、子機６０からは、電話帳情報の項目のうち、名前（漢字）に情報を登録することができないが、ＭＦＰ３０からの入力により補うことができる。【選択図】図１
2012060564.tif 000002
【特許請求の範囲】
【請求項１】
外部装置との間で通信を行うために回線網に接続される通信装置と、前記通信装置を介して前記外部装置との間で通信を行う第１装置と、前記通信装置を介して前記外部装置との間で通信を行う第２装置とを備えた通信システムであって、
前記第１装置および前記第２装置から利用可能であって、前記外部装置の電話番号またはファクシミリ番号を含む電話帳情報を記憶する記憶手段と、
前記第１装置において入力された電話帳情報を、前記記憶手段に登録する第１登録手段と、
前記第１登録手段により登録された前記電話帳情報を、前記第２装置へ通知する第１通知手段と、
前記第１通知手段による通知を受けて、前記第２装置において入力された情報に基づいて、前記第１登録手段により登録された前記電話帳情報を編集する編集手段とを備える通信システム。
【請求項２】
前記記憶手段に記憶される前記電話帳情報は複数の項目を含むものであり、
前記第１登録手段は、前記複数の項目のうちいずれかの項目に、前記第１装置において入力された情報が格納された電話帳情報を登録するものであり、
前記編集手段は、前記電話帳情報に含まれる複数の項目のうち、前記第１装置において入力された情報が格納されていない項目に、前記第２装置において入力された情報を格納するものである請求項１記載の通信システム。
【請求項３】
前記記憶手段に記憶される前記電話帳情報は複数の項目を含むものであり、前記複数の項目のうち少なくとも１つは、前記第１装置において入力不可能であり且つ前記第２装置において入力可能な文字で構成される情報を格納するものである請求項１または２に記載の通信システム。
【請求項４】
前記第１登録手段により前記記憶手段に登録された電話帳情報に、未編集の電話帳情報であることを示す識別情報を付加する識別情報付加手段を備え、
前記第１通知手段は、前記記憶手段に記憶された複数の電話帳情報を通知するものであり、
前記第２装置は、
前記第１通知手段により通知された前記電話帳情報に、未編集の電話帳情報が含まれるかを、前記識別情報に基づいて判断する識別情報判断手段と、
前記識別情報判断手段により、未編集の電話帳情報が含まれると判断される場合、当該未編集の電話帳情報を表示する表示手段と、
前記表示手段により表示された前記電話帳情報について、情報の入力を受付ける入力受付手段とを備えるものである請求項１から３のいずれかに記載の通信システム。
【請求項５】
前記第１登録手段により前記記憶手段に登録された電話帳情報に、未編集の電話帳情報であることを示す識別情報を付加する識別情報付加手段を備え、
前記第１通知手段は、前記識別情報付加手段により付加された前記識別情報に基づいて、前記記憶手段に記憶された複数の電話帳情報から、未編集の電話帳情報を抽出し、前記第２装置へ通知するものである請求項１から３のいずれかに記載の通信システム。
【請求項６】
前記第１装置において入力された電話帳情報と、前記記憶手段に既に記憶されている電話帳情報とが、同一の電話番号またはファクシミリ番号を含むかを判断する登録情報判断手段を備え、
前記識別情報付加手段は、前記第１装置において入力された電話帳情報が、前記登録情報判断手段により、前記記憶手段に既に記憶されている電話帳情報と、同一の電話番号またはファクシミリ番号を含まないと判断される場合に、前記第１登録手段により登録される前記電話帳情報に、前記未編集の電話帳情報であることを示す識別情報を付加するものである請求項４または５に記載の通信システム。
【請求項７】
前記第２装置において入力された電話帳情報を、前記記憶手段に登録する第２登録手段と、
前記第２登録手段により登録された前記電話帳情報を、前記第１装置へ通知する第２通知手段とを備える請求項１から６のいずれかに記載の通信システム。
【請求項８】
前記第２登録手段は、複数の項目を含む電話帳情報を前記記憶手段に登録するものであり、
前記第２通知手段は、
前記第２登録手段により前記記憶手段に登録された電話帳情報から、前記第１装置において表示可能な項目を抽出して、前記第１装置へ通知するものである請求項７記載の通信システム。
【請求項９】
外部装置との間で通信を行うために回線網に接続される通信装置であって、
前記通信装置を介して前記外部装置との間で通信を行う第１装置と接続するための第１接続手段と、
前記通信装置を介して前記外部装置との間で通信を行う第２装置と接続するための第２接続手段と、
前記第１装置および前記第２装置から利用可能であって、前記外部装置の電話番号またはファクシミリ番号を含む電話帳情報を記憶する記憶手段と、
前記第１装置において入力された電話帳情報を、前記記憶手段に登録する第１登録手段と、
前記第１登録手段により登録された前記電話帳情報を、前記第２装置へ通知する第１通知手段と、
前記第１通知手段による通知を受けて、前記第２装置において入力された情報に基づいて、前記第１登録手段により登録された前記電話帳情報を変更する変更手段とを備える通信装置。
【発明の詳細な説明】
【技術分野】
【０００１】
本発明は、通信システムおよび通信装置に関するものである。
【背景技術】
【０００２】
特許文献１には、コードレス電話機能とファクシミリ通信機能とを具備する通信装置と、読取機能を具備する複合機と、無線接続によって前記通信装置との間で、制御信号と音声データとを送受信するコードレス子機とを備えた通信システムが開示されている。また、特許文献１には、コードレス子機から入力された電話番号等を、コードレス子機から通信装置へ送信し、通信装置が有する電話帳へ登録することが開示されている。
【先行技術文献】
【特許文献】
【０００３】
【特許文献１】特開２００７−８９０４１号公報
【発明の概要】
【発明が解決しようとする課題】
【０００４】
しかしながら、コードレス子機を小型化するため又はコスト削減のため、コードレス子機は、入力可能な文字の種類に制限がある場合がある。例えば、コードレス子機からは、英数字およびカタカナは入力できるが、漢字は入力できない場合がある。この場合、電話帳に登録すべき情報のうち、漢字を含む氏名などの情報は、コードレス子機から登録できないという問題点があった。その場合、通信装置の電話帳には、コードレス子機からは登録できない項目が空欄となった情報が蓄積されてゆき、情報の統一性が得られないという問題点があった。
【０００５】
本発明は、上述した問題点を解決するためになされたものであり、第１装置から入力された電話帳情報を、第２装置からの入力に基づいて補うことができ、且つ、第１装置からの入力に基づいて登録された電話帳情報が存在していることを第２装置へ通知できる通信システムおよび通信装置を提供することを目的とする。
【課題を解決するための手段】
【０００６】
この目的を達成するために、本発明の通信システムは、外部装置との間で通信を行うために回線網に接続される通信装置と、前記通信装置を介して前記外部装置との間で通信を行う第１装置と、前記通信装置を介して前記外部装置との間で通信を行う第２装置とを備えたシステムであって、前記第１装置および前記第２装置から利用可能であって、前記外部装置の電話番号またはファクシミリ番号を含む電話帳情報を記憶する記憶手段と、前記第１装置において入力された電話帳情報を、前記記憶手段に登録する第１登録手段と、前記第１登録手段により登録された前記電話帳情報を、前記第２装置へ通知する第１通知手段と、前記第１通知手段による通知を受けて、前記第２装置において入力された情報に基づいて、前記第１登録手段により登録された前記電話帳情報を編集する編集手段とを備える。
【０００７】
上記通信システムにおいて、前記記憶手段に記憶される前記電話帳情報は複数の項目を含むものであり、前記第１登録手段は、前記複数の項目のうちいずれかの項目に、前記第１装置において入力された情報が格納された電話帳情報を登録するものであり、前記編集手段は、前記電話帳情報に含まれる複数の項目のうち、前記第１装置において入力された情報が格納されていない項目に、前記第２装置において入力された情報を格納するものであっても良い。
【０００８】
なお、本発明は、通信装置、通信装置を制御する制御装置、通信装置を制御する通信プログラム、通信プログラムを記録する記録媒体、通信方法等の種々の態様で構成することができる。
【発明の効果】
【０００９】
請求項１記載の通信システムによれば、第１装置において入力された電話帳情報は、第２装置へ通知され、第２装置において入力された情報に基づいて編集される。よって、第１装置から入力された電話帳情報を、第２装置からの入力に基づいて補うことができるという効果がある。また、第１装置からの入力に基づいて登録された電話帳情報が記憶手段に存在していることを、第２装置に通知できるという効果がある。
【００１０】
請求項２記載の通信システムによれば、請求項１の奏する効果に加え、電話帳情報に含まれる複数の項目のうち、第１装置において入力された情報が格納されていない項目に、第２装置において入力された情報が格納されるので、第１装置から入力された電話帳情報を、第２装置からの入力により、補うことができるという効果がある。
【００１１】
請求項３記載の通信システムによれば、請求項１または２の奏する効果に加え、第１装置において入力不可能な文字で構成される情報を、第２装置からの入力により補うことができるという効果がある。
【００１２】
請求項４記載の通信システムによれば、請求項１から３のいずれかの奏する効果に加え、ユーザは、第２装置において、未編集の電話帳情報を視認しながら、当該電話帳情報の編集に必要な情報を入力できるという効果がある。
【００１３】
請求項５記載の通信システムによれば、請求項１から３のいずれかの奏する効果に加え、記憶手段に既に記憶されている電話帳情報のうち、第２装置からの入力に基づく編集待ちの電話帳情報を抽出して、第２装置へ通知できるという効果がある。
【００１４】
請求項６記載の通信システムによれば、請求項４または５の奏する効果に加え、記憶手段に既に記憶されている電話帳情報と、同一の電話番号またはファクシミリ番号を含まない電話帳情報が、第１登録手段により登録される場合に、当該電話帳情報に、未編集の電話帳情報であることを示す識別情報を付加できるという効果がある。
【００１５】
請求項７記載の通信システムによれば、請求項１から６のいずれかの奏する効果に加え、第２登録手段により登録された電話帳情報は、第１装置へ通知されるので、最新の電話帳情報を第１装置においても利用できるという効果がある。
【００１６】
請求項８記載の通信システムによれば、請求項７の奏する効果に加え、第２登録手段により登録された電話帳情報のうち、第１装置において表示可能な項目が抽出されて、第１装置へ通知されるので、第１装置にとって利便性の高い情報を抽出して送信できるという効果がある。
【００１７】
請求項９記載の通信装置によれば、請求項１の通信システムと同様の作用効果を奏する。
【図面の簡単な説明】
【００１８】
【図１】本発明の一実施形態である通信システムの電気的構成を示したブロック図である。
【図２】電話帳メモリに格納される情報の構造を模式的に示す図である。
【図３】通信システムにおける動作の一例を示すシーケンス図である。
【図４】（ａ）は、ＢＯＸのＣＰＵが実行する電話帳登録処理を示すフローチャートであり、（ｂ）は、ＢＯＸのＣＰＵが実行する電話帳通知処理を示すフローチャートである。
【図５】ＭＦＰのＣＰＵが実行する電源起動時処理を示すフローチャートである。
【図６】変形例の通信システムにおいて、ＭＦＰのＣＰＵが実行する電源起動時処理を示すフローチャートであり、図５に対応する図である。
【発明を実施するための形態】
【００１９】
以下、本発明の好ましい実施形態について、添付図面を参照して説明する。図１は、本発明の通信システムの一実施形態である通信システム１の電気的構成を模式的に示したブロック図である。通信システム１には、本発明の通信装置の一実施形態である回線制御装置（以下「ＢＯＸ」と称す）１０と、多機能周辺装置（以下、「ＭＦＰ」と称す）３０と、子機６０とが含まれる。
【００２０】
ＢＯＸ１０は、外部装置１０２との間で通信を行うために電話回線網１００に接続される。ＭＦＰ３０は、プリンタ機能、スキャナ機能、コピー機能、ＦＡＸ機能などを備え、ＢＯＸ１０を介して外部装置１０２との間でファクシミリの送受信を行う。子機６０は、電話回線網１００を介し外部装置１０２との間で音声データや制御信号の通信を行うデジタルコードレス電話機である。
【００２１】
通信システム１において、ＢＯＸ１０には、電話帳メモリ１４ａが設けられる。この電話帳メモリ１４ａは、外部装置１０２の電話番号またはファクシミリ番号（以下、ＦＡＸ番号）を含む電話帳情報を記憶するものであり、ＭＦＰ３０と子機６０との両方から利用可能である。本実施形態の通信システム１は、子機６０から入力されて電話帳メモリ１４ａに登録された電話帳情報を、ＭＦＰ３０からの入力に基づいて補うことができるように構成されている。以下、詳細を説明する。
【００２２】
ＢＯＸ１０には、ＣＰＵ１１、ＲＯＭ１２、ＲＡＭ１３、ＥＥＰＲＯＭ１４、無線ＬＡＮ送受信部１６、無線ＬＡＮアンテナ部１７、モデム１８、電話回線接続部１９、デジタルコードレス電話（ＤＣＬ）送受信部２０、ＤＣＬアンテナ部２１、ＬＣＤ２２、操作部２３が設けられている。これらの構成要素は、入出力ポート１５を介して互いに通信可能に接続されている。
【００２３】
ＣＰＵ１１は、ＲＯＭ１２等に記憶される固定値やプログラム、或いは、無線通信２０２，２０３を介して送受信される各種信号に従って、入出力ポート１５と接続された各部を制御する。ＲＯＭ１２は、書換不能なメモリであって、図４を参照して後述する処理を実行するためのプログラムなどが格納されている。ＲＡＭ１３は、書換可能な揮発性のメモリである。ＥＥＰＲＯＭ１４は、書換可能な不揮発性のメモリであり、電話帳メモリ１４ａが設けられる。電話帳メモリ１４ａについては、図２を参照して後述する。
【００２４】
無線ＬＡＮ送受信部１６は、ＩＥＥＥ８０２．１１ｂ/ｇの規格に準拠した無線ＬＡＮにより、２．４ＧＨｚ帯を利用した無線通信２０２を行うための回路である。この無線ＬＡＮ送受信部１６により、ＭＦＰ３０との間がデータ通信可能に接続され、無線ＬＡＮアンテナ部１７を介して、各種のデータを構成するデジタル信号が送受信される。モデム１８は、ＦＡＸ送信データを電話回線網１００に伝送可能な信号に変調して電話回線接続部１９を介して送信し、又は、電話回線接続部１９を介して入力された信号を受信し、画像データへ復調するものである。電話回線接続部１９は、電話回線網１００とＢＯＸ１０との間を接続するものであり、回線を閉結または切断する。
【００２５】
ＤＣＬ送受信部２０は、２．４ＧＨｚ帯のデジタル方式の無線通信２０３により、ＤＣＬアンテナ部２１を介し、子機６０との間を無線接続するための回路である。ＤＣＬ送受信部２０によりＢＯＸ１０と子機６０との間で音声データおよび各種コマンドが送受信される。ＬＣＤ２２は、ＢＯＸ１０の各種機能情報を表示する。操作部２３は、ＢＯＸ１０の各機能を実行するためのキー群である。
【００２６】
ＭＦＰ３０には、ＣＰＵ３１、ＲＯＭ３２、ＲＡＭ３３、無線ＬＡＮ送受信部３６、無線ＬＡＮアンテナ部３７、プリンタ３８、スキャナ３９、ＬＣＤ４０、操作部４１が設けられる。これらの構成要素は、入出力ポート３５を介して互いに通信可能に接続されている。
【００２７】
ＣＰＵ３１は、ＲＯＭ３２等に記憶される固定値やプログラム或いは、無線ＬＡＮ送受信部３６を介して送受信される各種信号に従って、各機能の制御や、入出力ポート３５と接続された各部を制御する。
【００２８】
ＲＯＭ３２は、ＭＦＰ３０で実行される制御プログラムなどを格納した書換不能なメモリであって、図５を参照して後述する処理を実行するプログラムなどが格納されている。また、ＲＯＭ３２には、漢字変換ソフトウェア３２ａ（以下、漢字変換ソフト３２ａ）が格納されている。漢字変換ソフト３２ａは入力された仮名文字に対応する漢字の候補を表示し、入力された仮名文字をユーザによって選択された候補の漢字に変換する処理を行うプログラムである。ＲＡＭ３３は、書換可能な揮発性のメモリであり、ＢＯＸ１０から受信した電話帳情報を記憶する。無線ＬＡＮ送受信部３６は上述した無線ＬＡＮ送受信部１６と同様に構成された回路であり、ＢＯＸ１０との間で無線通信２０２を行う。
【００２９】
プリンタ３８は印刷を実行するものであり、スキャナ３９は原稿の読み取りを実行するものである。ＬＣＤ４０は、操作手順や実行中の処理の状態、およびユーザによって選択された画像などを表示する。また、ＬＣＤ４０の表示面には図示しないタッチパネルに設けられており、ユーザは、ＬＣＤ４０に表示された各種ボタンを押下することにより、各ボタンに割り当てられた処理の実行指示を、ＭＦＰ３０に入力できる。
【００３０】
また、ＭＦＰ３０は、ＢＯＸ１０から通知され、ＲＡＭ３３に格納された電話帳情報を、ユーザの求めに応じてＬＣＤ４０に表示する。そして、ＬＣＤ４０に表示された電話帳情報の中から、ユーザによって選択された電話帳情報に含まれるＦＡＸ番号を、ＦＡＸ送信の宛先として設定する。
【００３１】
操作部４１は、ＭＦＰ３０の各機能を実行するためのキー群であり、電話番号やＦＡＸ番号、文字列を入力するための英数字や仮名文字が割り当てられたテンキー４１ａが設けられる。なお、ＭＦＰ１においてテンキー４１ａから入力された仮名文字は、漢字変換ソフト３２ａにより漢字に変換可能である。
【００３２】
子機６０には、ＣＰＵ６１、ＲＯＭ６２、ＲＡＭ６３、ＤＣＬ送受信部６４、ＤＣＬアンテナ部６５、ＬＣＤ６６、操作部６７が設けられる。これらの構成要素は、入出力ポート６８を介して互いに通信可能に接続されている。
【００３３】
ＣＰＵ６１は、ＲＯＭ６２等に記憶される固定値やプログラム或いは、ＤＣＬ送受信部６４を介して送受信される各種信号に従って、各機能の制御や、入出力ポート６８と接続された各部を制御する。
【００３４】
ＲＯＭ６２は、子機６０で実行される制御プログラムなどを格納した書換不能なメモリである。ＲＡＭ６３は、書換え可能な不揮発性のメモリであり、例えば、発着信の履歴、およびＢＯＸ１０から通知される電話帳情報を記憶する。ＤＣＬ送受信部６４は上述したＤＣＬ送受信部２０と同様に構成され、ＢＯＸ１０との間の無線通信２０３を行う。ＬＣＤ６６は、ＲＡＭ６３に格納された発着信の履歴や、電話帳情報を表示する。操作部６７は、子機６０の各機能を実行するためのキー群であり、電話番号やＦＡＸ番号、文字列を入力するための英数字およびカタカナが割り当てられたダイヤルボタン６７ａが設けられる。
【００３５】
なお、図１においては、ＭＦＰ３０および子機６０を１台ずつ図示しているが、ＭＦＰ３０および子機６０がそれぞれ２台以上、通信システム１に含まれていても良い。
【００３６】
図２は、電話帳メモリ１４ａに格納される情報の構造を模式的に示す図である。図２に示すように、電話帳メモリ１４ａに格納される情報は、ユーザにより入力された電話帳情報と、その電話帳情報を識別するＩＤとを対応付けた情報である。
【００３７】
図２に示すように、電話帳情報には、項目として、子機登録フラグ７０、ＭＦＰ登録フラグ７２、名前（漢字）７４、名前（カナ）７６、電話番号７８、ＦＡＸ番号８０、Ｅ−ｍａｉｌアドレス８２が含まれる。
【００３８】
子機登録フラグ７０には、子機６０から登録され、ＭＦＰ３０による編集待ちの電話帳情報であるか否かを示す値がセットされる。子機６０からの入力に基づいて電話帳メモリ１４ａに登録された電話帳情報であって、且つ、ＭＦＰ３０によって編集されていない未編集の電話帳情報の子機登録フラグ７０には「１」がセットされる。一方、ＭＦＰ３０からの入力に基づいて電話帳メモリ１４ａに新規に登録された電話帳情報、または、子機６０からの入力に基づいて電話帳メモリ１４ａに登録された電話帳情報であるが、ＭＦＰ３０において少なくとも一度表示された電話帳情報については、子機登録フラグ７０に「０」がセットされる。
【００３９】
ＭＦＰ登録フラグ７２には、ＭＦＰ３０から登録された電話帳情報であるか否かを示す値がセットされる。ＭＦＰ３０からの入力に基づいて電話帳メモリ１４ａに新規に登録された電話帳情報のＭＦＰ登録フラグ７２には「１」がセットされる。
【００４０】
名前（漢字）７４は、電話番号またはＦＡＸ番号に対応した氏名を表す文字列であって、漢字を含む文字列を格納する。本実施形態の通信システム１において、子機６０には漢字変換ソフトウェアがインストールされておらず、子機６０からは漢字を入力することができないが、ＭＦＰ３０からは漢字を入力することができる。よって、名前（漢字）７４は、子機６０からは情報を登録できず、ＭＦＰ３０からは情報を登録できない項目である。したがって、例えば、図２に示す電話帳メモリ１４ａにおいて、ＩＤ「２」が付与された電話帳情報は、子機６０から登録された電話帳情報であって、名前（漢字）７４の項目が空欄とされている。
【００４１】
名前（カナ）７６は、電話番号またはＦＡＸ番号に対応した氏名を表す文字列であって、カタカナで構成される文字列を格納する。電話番号７８は、外部装置１０２の電話番号を示す数字の列を格納する。ＦＡＸ番号８０は、外部装置１０２のＦＡＸ番号を示す数字の列を格納する。Ｅ−ｍａｉｌアドレス８２は、名前（漢字）７４および名前（カナ）７６に格納された氏名に対応するＥ−ｍａｉｌアドレスを表した英数字の列を格納する。
【００４２】
図３は、通信システム１における動作の一例を示すシーケンス図である。このシーケンス図に示す動作は、子機６０から、電話帳情報の登録をＢＯＸ１０へ指示した場合に開始される。なお、ユーザは、子機６０のダイヤルボタン６７ａから電話帳情報を入力してもよいが、子機６０に記憶された発着信の履歴を利用して、登録すべき電話帳情報を入力しても良い。
【００４３】
子機６０は、電話帳情報をＢＯＸ１０へ送信し、子機６０において入力された電話帳情報をＢＯＸ１０の電話帳メモリ１４ａに登録させる（Ｊ１）。このとき登録される電話帳情報は、図２を参照して説明した電話帳情報の複数の項目のうち、少なくともいずれかの１つの項目に情報が格納されたものであるが、名前（漢字）７４には、情報が格納されていないものとする。また、ＢＯＸ１０は、子機６０から受信した電話帳情報の子機登録フラグ７０に「１」をセットする。
【００４４】
ここで、ＭＦＰ３０の電源が投入されると、ＭＦＰ３０は、電話帳情報の取得をＢＯＸ１０へ要求する（Ｊ２）。すると、ＢＯＸ１０は、電話帳メモリ１４ａに記憶されている電話帳情報を全件分、ＭＦＰ３０へ通知する（Ｊ３）。ＢＯＸ１０から電話帳情報を受信した場合、ＭＦＰ３０は、子機登録フラグ７０に「１」がセットされた電話帳情報、すなわち、子機６０から登録され、且つ、ＭＦＰ３０において未編集の電話帳情報を表示し、ユーザに情報の入力を促す。ユーザは、表示された電話帳情報のうち、子機６０において入力された情報が格納されていない項目、例えば、名前（漢字）７４に格納すべき情報を入力する。
【００４５】
次に、ＭＦＰ３０は、名前（漢字）７４に情報を入力した電話帳情報を、ＢＯＸ１０へ送信し、登録させる（Ｊ４）。これに対し、ＢＯＸ１０は、ＭＦＰ３０から受信した電話帳情報で、子機６０から登録された電話帳情報を上書きする。換言すれば、子機６０から登録された電話帳情報を、ＭＦＰ３０において編集された電話帳情報に変更する。そして、ＢＯＸ１０は、ＭＦＰ３０にて編集済みの電話帳情報を子機６０へ通知する（Ｊ５）。子機６０は、ＢＯＸ１０から受信した電話帳情報を、例えば、ＲＡＭ６３に格納し、外部装置１０２の発呼や発着信履歴の表示に利用する。なお、ＭＦＰ３０から登録された電話帳情報を、ＢＯＸ１０から子機６０へ通知する場合、ＢＯＸ１０は、ＭＦＰ３０により登録された電話帳情報のうち、子機６０において表示可能な項目のみを抽出して、子機６０へ通知しても良い。
【００４６】
その後、ＭＦＰ３０において、電源が投入される毎に、ＭＦＰ３０はＢＯＸ１０へ電話帳情報を要求する（Ｊ６）。そして、ＢＯＸ１０は、編集待ちの電話帳情報が登録されているか否かに関わらず、ＭＦＰ３０からの要求に応じ、電話帳メモリ１４ａに登録された全電話帳情報を、ＭＦＰ３０へ送信する（Ｊ７）。
【００４７】
通信システム１によれば、子機６０において入力されて、電話帳メモリ１４ａに登録された電話帳情報は、ＭＦＰ３０へ通知され、ＭＦＰ３０において入力された情報に基づいて編集される。よって、子機６０から入力された電話帳情報を、ＭＦＰ３０からの入力に基づいて補うことができる。したがって、子機６０からは、電話帳情報の名前（漢字）７４に格納すべき情報を入力できないが、ＭＦＰ３０からの入力により補うことができる。
【００４８】
また、子機６０からの入力に基づく編集待ちの電話帳情報が電話帳メモリ１４ａに存在していることを、ＭＦＰ３０に通知できるので、編集待ちの電話帳情報が電話帳メモリ１４ａに蓄積していくことが抑制できる。
【００４９】
また、ＭＦＰ３０から登録された編集済みの電話帳情報は、子機６０へ通知されるので、子機６０においても最新の電話帳情報を使用させることができ、電話帳情報の利便性が高い。
【００５０】
図３を参照して説明した動作の詳細を、図４，図５のフローチャートを用いて説明する。図４（ａ）は、ＢＯＸ１０のＣＰＵ１１が実行する電話帳登録処理を示すフローチャートである。この処理は、子機６０において入力された電話帳情報を電話帳メモリ１４ａに登録する処理である。この処理は、ＢＯＸ１０の電源投入後、定期的に実行される。
【００５１】
まず、ＣＰＵ１１は、子機６０から電話帳情報を受信したか否かを判断し（Ｓ４０２）、Ｓ４０２の判断が否定される間（Ｓ４０２：Ｎｏ）、処理を待機する。一方、子機６０から電話帳情報を受信すると（Ｓ４０２：Ｙｅｓ）、ＣＰＵ１１は、電話帳メモリ１４ａに登録済みの電話帳情報を検索する（Ｓ４０６）。そして、ＣＰＵ１１は、子機６０から受信した電話帳情報（子機６０において入力された電話帳情報）に含まれる電話番号と、電話帳メモリ１４ａに既に記憶されている電話帳情報に含まれるＦＡＸ番号とが同一であるか否かを判断する（Ｓ４０８）。
【００５２】
子機６０において入力された電話帳情報が、電話帳メモリ１４ａに既に記憶されている電話帳情報に含まれるＦＡＸ番号と同一の電話番号を含まない判断される場合（Ｓ４０８：Ｎｏ）、ＣＰＵ１１は、子機６０から受信した電話帳情報に新規のＩＤを割り当て、当該電話帳情報を電話帳メモリ１４ａに新規登録する（Ｓ４１０）。そして、ＣＰＵ１１は、新規登録した電話帳情報の子機登録フラグ７０に、ＭＦＰ３０による編集待ちの電話帳情報であることを示す「１」をセットし（Ｓ４１２）、処理を終了する。
【００５３】
一方、子機６０において入力された電話帳情報が、電話帳メモリ１４ａに既に記憶されている電話帳情報に含まれるＦＡＸ番号と同一の電話番号を含むと判断される場合（Ｓ４０８：Ｙｅｓ）、ＣＰＵ１１は、子機６０から受信した電話帳情報に含まれる電話番号を、当該電話番号と一致するＦＡＸ番号を含む登録済み電話帳情報の電話番号として、電話帳メモリ１４ａに格納し（Ｓ４１４）、処理を終了する。このようにすれば、電話番号とＦＡＸ番号とが一致する相手先の電話帳情報が、別の電話帳情報として登録されることを回避できる。
【００５４】
電話帳登録処理によれば、ＢＯＸ１０は、子機６０から入力された電話帳情報を、電話帳メモリ１４ａに登録できると共に、ＭＦＰ３０による編集待ちの電話帳情報の子機登録フラグ７０には、未編集の電話帳情報であることを示す「１」を付加できる。
【００５５】
図４（ｂ）は、ＢＯＸ１０のＣＰＵ１１が実行する電話帳通知処理である。この処理は、ＢＯＸ１０の電源投入後、定期的に実行されるものであり、子機６０から登録された電話帳情報をＭＦＰ３０へ通知し、または、ＭＦＰ３０から登録された電話帳情報を子機６０へ通知する処理である。
【００５６】
まず、ＣＰＵ１１は、ＭＦＰ３０から電話帳情報取得要求を受信したか否かを判断する（Ｓ４２２）。そして、ＭＦＰ３０から電話帳情報取得要求を受信したと判断する場合（Ｓ４２２：Ｙｅｓ）、ＣＰＵ１１は、電話帳メモリ１４ａに登録された電話帳情報を全件、ＭＦＰ３０へ通知する（Ｓ４２４）。このとき、ＣＰＵ１１は、電話帳メモリ１４ａにおいて各電話帳情報に割り当てられているＩＤを、各電話帳情報に関連付けてＭＦＰ３０へ送信する。なお、Ｓ４２２の判断が否定される場合（Ｓ４２２：Ｎｏ）、ＣＰＵ１１はＳ４２４の処理をスキップする。
【００５７】
次に、ＣＰＵ１１は、ＭＦＰ３０から電話帳情報を受信したか否かを判断する（Ｓ４２６）。Ｓ４２６の判断が否定される場合（Ｓ４２６：Ｎｏ）、ＣＰＵ１１は、この処理を終了する。
【００５８】
一方、ＭＦＰ３０から電話帳情報を受信すると（Ｓ４２６：Ｙｅｓ）、ＣＰＵ１１は、受信した電話帳情報と同一のＩＤが割り当てられた電話帳情報が、電話帳メモリ１４ａに登録されているか否かを判断する（Ｓ４２８）。Ｓ４２８の判断が肯定される場合（Ｓ４２８：Ｙｅｓ）、ＣＰＵ１１は、電話帳メモリ１４ａにおいて同一のＩＤが割り当てられた電話帳情報を、受信した電話帳情報で上書きする（Ｓ４３０）。換言すれば、子機６０から登録された電話帳情報を、ＭＦＰ３０において編集された電話帳情報に変更する。
【００５９】
一方、Ｓ４２８の判断が否定される場合（Ｓ４２８：Ｎｏ）、ＣＰＵ１１は、ＭＦＰ３０から受信した電話帳情報を電話帳メモリ１４ａに新規登録し（Ｓ４３２）、その電話帳情報のＭＦＰ登録フラグ７２に「１」をセットする（Ｓ４３３）。
【００６０】
次に、ＣＰＵ１１は、Ｓ４３０またはＳ４３３において登録された電話帳情報（すなわち、ＭＦＰ３０において入力された電話帳情報）を、子機６０へ通知する（Ｓ４３４）。この際、ＣＰＵ１１は、電話帳情報に含まれる各項目のうち、子機６０において表示可能な項目のみを抽出して、子機６０へ通知し、処理を終了する。
【００６１】
電話帳通知処理によれば、子機６０から登録された電話帳情報はＭＦＰ３０へ通知され、一方、ＭＦＰ３０から登録された電話帳情報は子機６０へ通知されるので、通信システム１に含まれる各装置（ＭＦＰ３０、子機６０）において、同じ電話帳情報を共有できる。
【００６２】
図５は、ＭＦＰ３０のＣＰＵ３１が実行する電源起動時処理を示すフローチャートである。この処理は、ＭＦＰ３０の電源を投入した場合に開始される処理であって、ＢＯＸ１０から受信した電話帳情報を表示し、ユーザに編集させた上でＢＯＸ１０に返却する処理である。
【００６３】
まず、ＣＰＵ３１は、電話帳情報取得要求をＢＯＸ１０へ送信する（Ｓ５０２）。そして、ＣＰＵ３１は、ＢＯＸ１０から通知される電話帳情報を取得し、例えば、ＲＡＭ３３に格納する（Ｓ５０４）。ここでＢＯＸ１０からＭＦＰ３０へは、電話帳メモリ１４ａに登録されている全件分の電話帳情報が通知される。
【００６４】
次に、ＣＰＵ３１は、子機登録フラグ７０に「１」がセットされた電話帳情報があるか否かを判断する（Ｓ５０６）。すなわち、ＢＯＸ１０から通知された電話帳情報に、ＭＦＰ３０において未編集の電話帳情報が含まれるかを、子機登録フラグ７０に基づいて判断する。子機登録フラグ７０に「１」がセットされている電話帳情報がないと判断される場合（Ｓ５０６：Ｎｏ）、ＣＰＵ３１は、処理を終了する。
【００６５】
一方、子機登録フラグ７０に「１」がセットされている電話帳情報があると判断される場合（Ｓ５０６：Ｙｅｓ）、すなわち、ＢＯＸ１０から通知された電話帳情報に、ＭＦＰ３０において未編集の電話帳情報が含まれると判断される場合、ＣＰＵ３１は、電話帳編集ボタン（図示せず）をＬＣＤ４０に表示する（Ｓ５０８）。
【００６６】
次に、ＣＰＵ３１は、電話帳編集ボタンが押下されたか否かを判断する（Ｓ５１０）。Ｓ５１０の判断が否定される場合（Ｓ５１０：Ｎｏ）、ＣＰＵ３１は、Ｓ５１０から処理を繰り返す。一方、電話帳編集ボタンが押下される場合（Ｓ５１０：Ｙｅｓ）、ＣＰＵ３１は、ＢＯＸ１０から通知された電話帳情報のうち、子機登録フラグ７０に「１」がセットされている電話帳情報、すなわちＭＦＰ３０において未編集の電話帳情報を全て、ＬＣＤ４０に表示する（Ｓ５１４）。そして、ＣＰＵ３１は、子機登録フラグ７０に「１」がセットされた電話帳情報の全てについて、その子機登録フラグ７０を「０」にセットする（Ｓ５１５）。
【００６７】
次に、ＣＰＵ３１は、表示した電話帳情報について、電話帳情報を編集するための入力を受付ける（Ｓ５１６）。例えば、ユーザは、ＭＦＰ３０のテンキー４１ａを操作することにより、電話帳情報のうち、子機６０からの情報が格納されていない項目（本実施形態の場合、名前（漢字）７４）に情報を入力し、または、各項目に格納された情報を変更するなど、電話帳情報を編集する。そして、ＣＰＵ３１は、ＭＦＰ３０において編集された電話帳情報を、ＢＯＸ１０へ返却し（Ｓ５１８）、処理を終了する。なお、ここで、「ＭＦＰ３０において編集された電話帳情報」とは、ＭＦＰ３０のテンキー４１ａからの入力に基づいて編集された電話帳情報、および、テンキー４１ａからの入力に基づく編集は実行されていないものの、Ｓ５１５の処理において、子機登録フラグ７０が「１」から「０」に変更された電話帳情報を含む。
【００６８】
電源起動時処理によれば、ユーザは、子機６０から電話帳メモリ１４ａに登録された電話帳情報のうち、ＭＦＰ３０において未編集の電話帳情報を、ＭＦＰ３０において視認しながら、当該電話帳情報の編集に必要な情報を入力できる。
【００６９】
また、電源起動時処理によれば、ＭＦＰ３０は、電源を起動する毎に、電話帳情報をＢＯＸ１０から取得して、編集待ちの電話帳情報の有無を判断する。そして、編集待ちの電話帳情報があると判断される場合に、その編集待ちの電話帳情報をまとめて表示する。よって、子機６０から電話帳情報が登録される毎に、子機６０から登録された電話帳情報がＭＦＰ３０に通知される場合に比較して、ユーザの煩わしさが低減される。
【００７０】
また、電源起動時処理によれば、ＭＦＰ３０において、電話帳編集ボタンが押下された場合には（Ｓ５１０：Ｙｅｓ）、電話帳情報の子機登録フラグ７０が「０」にセットされた上で、電話帳情報がＢＯＸ１０へ返却される。すなわち、ＭＦＰ３０によって一度でも表示された電話帳情報は、その子機登録フラグ７０が「０」にセットされる。よって、ＭＦＰ３０において、同一の電話帳情報が、未編集の電話帳情報として何度も表示されることを回避できる。
【００７１】
なお、電話帳編集ボタンが押下されることがないまま、ＭＦＰ３０の電源がオフされて、電源起動時処理が終了した場合、電話帳メモリ１４ａにおいて、電話帳情報の子機登録フラグ７０は「１」のままとされる。よって、ＭＦＰ３０の次回電源起動時において、ＭＦＰ３０が取得する電話帳情報の中には、子機登録フラグ７０が「１」にセットされた電話帳情報が存在しているので、ＭＦＰ３０は、その電話帳情報を、未編集の電話帳情報として表示し、ユーザに視認させることができる。
【００７２】
上記実施形態において、ＢＯＸ１０が通信装置の一例である。無線ＬＡＮ送受信部１６が第２接続手段の一例である。ＤＣＬ送受信部２０が第１接続手段の一例である。ＭＦＰ３０が第２装置の一例である。子機６０が第１装置の一例である。電話回線網１００が回線網の一例である。電話帳メモリ１４ａが記憶手段の一例である。子機登録フラグ７０、ＭＦＰ登録フラグ７２、名前（漢字）７４、名前（カナ）７６、電話番号７８、ＦＡＸ番号８０、Ｅ−ｍａｉｌアドレス８２が、それぞれ項目の一例である。子機登録フラグ７０にセットされる「１」が識別情報の一例である。Ｓ４０８を実行するＣＰＵ１１が登録情報判断手段の一例である。Ｓ４１０を実行するＣＰＵ１１が第１登録手段の一例である。Ｓ４１２を実行するＣＰＵ１１が識別情報付加手段の一例に相当する。Ｓ４２４を実行するＣＰＵ１１が第１通知手段の一例である。Ｓ４３０、Ｓ４３２を実行するＣＰＵ１１が第２登録手段の一例である。Ｓ４３０を実行するＣＰＵ１１が変更手段の一例である。Ｓ４３４を実行するＣＰＵ１１が第２通知手段の一例である。Ｓ５０６を実行するＣＰＵ３１が識別情報判断手段の一例である。Ｓ５１４を実行するＣＰＵ３１が表示手段の一例である。Ｓ５１５，Ｓ５１６を実行するＣＰＵ３１が編集手段の一例である。Ｓ５１６を実行するＣＰＵ３１が入力受付手段の一例である。
【００７３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００７４】
例えば、上記実施形態において、ＭＦＰ３０は、ＢＯＸ１０から受信した電話帳情報を、ＲＡＭ３３に格納するものとして説明した。しかしながら、ＭＦＰ３０が書換え可能な不揮発性のメモリを備える場合、ＭＦＰ３０は、ＢＯＸ１０から受信した電話帳情報を、不揮発性のメモリに記憶しても良い。
【００７５】
図６は、変形例の通信システムにおいて、ＭＦＰ３０のＣＰＵ３１が実行する電源起動時処理を示すフローチャートであり、図５に対応する図である。図６のフローチャートに示す処理のうち、図５のフローチャートに含まれる処理と同一のものについては、同一の符号を付して説明を省略する。この変形例において、ＭＦＰ３０は、書換え可能な不揮発性のメモリとしてＥＥＰＲＯＭを備え、ＢＯＸ１０から受信した電話帳情報を、ＥＥＰＲＯＭに格納するものとする。この場合において、ＭＦＰ３０のＥＥＰＲＯＭに記憶された電話帳情報は、ＭＦＰ３０の電源オフ後も失われない。すなわち、ＭＦＰ３０のＥＥＰＲＯＭには、ＢＯＸ１０から通知された電話帳情報を蓄積することができる。
【００７６】
変形例の通信システム１において、ＭＦＰ３０は、電源が起動されると、電話帳情報の差分をＢＯＸ１０に要求する（Ｓ６０２）。一方、ＢＯＸ１０は、電話帳メモリ１４ａに記憶された電話帳情報のうち、子機登録フラグ７０に「１」がセットされた電話帳情報、すなわち、ＭＦＰ３０において未編集の電話帳情報を抽出し、ＭＦＰ３０へ通知する。よって、ＣＰＵ３１は、前回の電話帳情報取得時からの差分の電話帳情報を取得する（Ｓ６０３）。そして、ＣＰＵ３１では、取得した電話帳情報を、ＥＥＰＲＯＭに追加し、電話帳編集ボタンを表示する（Ｓ５０８）。そして、ユーザ操作に基づいて、電話帳情報を編集した場合には（Ｓ５１６）、ＣＰＵ３１は、編集された電話帳情報をＢＯＸ１０へ返却し（Ｓ５１８）、さらに、ＥＥＰＲＯＭに新しく記憶された電話帳情報を、編集済みの電話帳情報で上書きする（Ｓ６０４）。すなわち、編集前の電話帳情報を、編集済みの電話帳情報に変更する。
【００７７】
この変形例によれば、ＢＯＸ１０からＭＦＰ３０へは、電話帳情報の差分のみを送信すればよいので、ＢＯＸ１０からＭＦＰ３０へ送信すべき電話帳情報のデータ量を低減でき、且つ、上記実施形態と同様の作用効果が得られる。
【００７８】
また、上記実施形態では、電話帳情報に含まれる項目を例示したが、電話帳情報に含まれる項目は適宜選択可能であり、例えば、住所など他の項目を含んでいても良いし、上記実施形態で説明した項目のいずれかが含まれていなくても良い。
【００７９】
また、上記実施形態では、通信装置の一例であるＢＯＸと第１装置の一例である子機６０と第２装置の一例であるＭＦＰ３０とが、それぞれ別体に構成されていたが、通信装置が、第１装置または第２装置のいずれかに内蔵されている場合においても、本発明は適用可能である。
【００８０】
また、上記実施形態では、記憶手段の一例である電話帳メモリ１４ａが通信装置の一例であるＢＯＸ１０に設けられていた。しかしながら、第１装置または第２装置のいずれかに記憶手段が設けられている場合にも本発明を適用可能である。また、通信装置、第１装置、または第２装置以外のいずれかの装置（例えば、共有サーバ）に記憶手段が設けられている場合にも本発明を適用可能である。
【００８１】
また、上記実施形態では、第２装置の一例であるＭＦＰ３０において編集された電話帳情報で、編集前の電話帳情報を上書きするものとして説明した。しかしながら、これに代えて、編集前の電話帳情報と編集済みの電話帳情報の差分（例えば、名前（漢字）７４の情報）のみを、編集前の電話帳情報に追加登録するように構成しても良い。
【００８２】
また、上記実施形態では、子機６０から受信した電話帳情報に含まれる電話番号が、電話帳メモリ１４ａに登録済みのＦＡＸ番号と一致するか否かに基づいて、当該電話帳情報について、子機登録フラグ７０に「１」をセットするか否かを判断していた。しかし、これに代えて、またはこれに加えて、子機６０から受信した電話帳情報に含まれる電話番号が、電話帳メモリ１４ａに登録済みの電話番号と一致するか否かに基づいて、子機登録フラグ７０に「１」をセットするか否か判断しても良い。
【００８３】
また、ＢＯＸ１０に設けられた電話帳メモリ１４ａとは別に、子機６０自身が電話帳メモリを備えていても良い。そして、子機６０において、子機６０自身の電話帳メモリへの電話帳情報の登録が行われる場合、子機６０において登録された電話帳情報が、ＢＯＸ１０へも通知され、ＢＯＸ１０の電話帳メモリ１４ａにも登録される構成としても良い。その場合にも、本発明を適用可能である。
【符号の説明】
【００８４】
１              通信システム
１０            ＢＯＸ
１４ａ          電話帳メモリ
１６            無線ＬＡＮ送受信部
２０            ＤＣＬ送受信部
３０            ＭＦＰ
６０            子機
１００          電話回線網
１０２          外部装置
【図１】
2012060564.tif 000003
【図２】
2012060564.tif 000004
【図３】
2012060564.tif 000005
【図４】
2012060564.tif 000006
【図５】
2012060564.tif 000007
【図６】
2012060564.tif 000008